(57)【要約】      （修正有）【課題】使用する時ペーパーの端部が切断面に隠れ、ペーパーを摘まんで引っ張る事が出来ず苦労するので、より簡単に片手でも操作でき、安価なカバー付きペーパーホルダー上蓋とトイレ内を明るく美しく華やかにする上蓋飾りのベース部分を合わせたトイレットペーパーホルダーの提供。【解決手段】トイレットペーパーホルダー上蓋１に一方を楕円形一方が切り離しの溝４を入れ、その溝４にカバー２を装着し、又ペーパーを切断しやすいようにギザギザ９又はノコギリ刃を取り付け、上蓋１にペーパーを切り取る力に負けない負荷を、バネの力により先端部分にかけ、上蓋先端部分がブレなくなり容易に片手でもペーパーを切り取る事が出来る。操作も簡単で、又構造もいたって簡単で安価な仕上がりになる。上蓋飾りにおいては、カバー付き上蓋の上に上蓋飾りをする事によりトイレ内が明るく華やいで楽しい空間になる。【選択図】図１
2009153742.tif 000002
【特許請求の範囲】
【請求項１】
トイレットペーパーホルダー上蓋の、形状はトイレットペーパーの外周面に沿うよう湾曲した上蓋の根元近くから、一方を楕円形一方が切り離しになった切り込み溝を開け、切り離しにした先端部分と面一になるように楕円形をしたリング状の指で操作出来るよう開いたカバーを、切り込みした溝に差し込み又は接着した事を特徴とした、トイレットペーパーホルダーのカバー付き上蓋。
【請求項２】
トイレットペーパーホルダー上蓋のペーパーを切断する先端部分、が、軽くてブレ無いよう、ホルダー後方にバネを取り付け、テコを応用し、上蓋、先端部分がトイレットペーパーに強く押しつくように限定した事を特徴とした請求項１記載のトイレットペーパーホルダーのカバー付き上蓋。
【請求項３】
トイレットペーパーホルダー上蓋の先端部分を長くし長くした部分を
裏側に折り曲げて貼り付け、先端部分裏面に小さく凸型を作りその先端
にギザギザを付けたことを特徴とした請求項１又は２記載のトイレットペーパーホルダーのカバー付き上蓋。
【請求項４】
トイレットペーパーホルダー上蓋の裏面に先端部がノコギリ刃になった一枚の鉄板を折り曲げ、ノコギリ刃と凸型との二つの山を作り凸型の
一方をなだらかに又楕円形リング状の操作窓の部分は切り落とし上蓋
裏面に貼り付けた事を特徴とした請求項１又は２記載のトイレットペーパーホルダーのカバー付き上蓋。
【請求項５】
一方が楕円形、一方が切り離しになったリング状のカバー付き上蓋の上に飾りをするが、その上蓋に接している飾りの底の部分に、切り込み溝、 を付けたベース部分でありベースの上に付ける飾りは特定しないを特徴とした請求項１〜４記載のトイレットペーパーホルダーのカバー付き上蓋の上にする上蓋飾り。
【発明の詳細な説明】
【技術分野】
【０００１】
本発明は、トイレットペーパーホルダー上蓋に、一方を楕円形一方が
切り離しになった溝を切り込み、その溝にリング状の操作窓用、指保護
カバーを差し込み又は接着した上蓋に関する物で有る。
【０００２】
本発明は、トイレットペーパーホルダー上蓋にペーパーを切り易くする  
為、ギザギザ或いはノコギリ刃を付けた上蓋に関する物である。
【０００３】
本発明は、トイレットペーパーホルダー上蓋がペーパーを片手で切る時
軽すぎて上手く切れない、そのためバネの力を利用しテコを応用し上
蓋先端部分をトイレットペーパーに押し付けた上蓋に関する物である。
【０００４】
本発明は、リング状の操作窓用、指保護カバーを装着した、トイレット
ペーパーホルダー上蓋の上に飾る、飾りの底辺であり上蓋飾りのベース
部分に関する物である。
【背景技術】
【０００５】
過去、特許申請の中にはトイレットペーパーホルダーの上蓋に穴空きが有るが製品化は、今もって見たことは無い、此れと言うのもハッキリと指を入れて中のトイレットペーパーを回して下さいと意志有る穴あきで無く、その穴に指を入れると、傷付きそうな不安のある穴です、まして保護カバーの記載は無い。
従来の上蓋飾りに置いては切り込みの必要がなかったので検索しても皆無であった。
【０００６】
【特許文献１】特開平  １１―２０６６１６  号公報
【特許文献２】実開平  ０６―０５７２９８  号公報
【特許文献３】実開平  ０７―０１４９９５  号公報
【特許文献４】実開平  ０７―００３４９１  号公報
【特許文献５】特開平  ０６―３４３５７４  号公報
【発明の開示】
【発明が解決しようとする課題】
【０００７】
此れには次のような欠点があった。
トイレットペーパーを使用する場合、ペーパーを引き出して必要な長さでカットすると、次にペーパーを取り出そうと思っても、ペーパーの切り口が上蓋の下に隠れ取り出せない欠点があった。
【０００８】
ミシン目は付いていても、上蓋の中に隠れているのでちょうど良く
引き出し上蓋の切断面に合わせたくても予測が付きにくかった。
【０００９】
ミシン目は付いていても切りにくい時がある、それは切断面に正しく
ミシン目が合わさっていないのと、上蓋が軽すぎてトイレットペーパー
に密着していない事が原因だ。
【００１０】
障害者にとってペーパーの先が上蓋より摘まんで引っ張れるだけ出て
いないと言う事は苦痛であり重労働だ、その時動きにくい手で上蓋を持
ち上げ、もう片方の手でペーパーの先が摘まんで引っ張る事が出来まで
トイレットペーパー部分を回さなくてはならない。
【００１１】
障害者に取って両手を使える方ばかりいない出来る事なら片手で済
ましたいが、現状では上蓋が軽すぎて片手ではペーパーを切る事が非
常に難しい。
【００１２】
トイレットペーパーホルダーに穴あきが有るが、その穴はあけて有る
と言うだけで此処に指を入れて中にあるトイレットペーパーを回しな
さいと強く意志表示がなく又指を入れる所には指保護カバーが付いて
無く、指を損傷しかねない。
【００１３】
特許製品の中にはレバーを引くだけで三角折したペーパーが取り出
しやすくしているが高価なため、もっと安く簡単な操作が要求される。
【００１４】
従来の上蓋飾りには中のトイレットペーパーまで指を入れ回す上蓋が
なかったためか切り込み溝が付いた上蓋飾りは皆無であった。
本発明はこれらの欠点を除くためになされた物である。
【課題を解決するための手段】
【００１５】
トイレットペーパーホルダーの湾曲した上蓋に根元付近からペーパーをカットする先端部分近くまで、指が下のトイレットペーパーを回す事が出来るほどの、一方を楕円形一方が切り離しになった、切り込み溝を入れ、その切り口には指を傷付けないよう楕円形の丸みを多用したリング状の指保護カバーを入れる、切り離しになった切り込み溝の上蓋は、先端部分を面一にすると共に、長くした上蓋を裏側に折り曲げて小さく凸型にしてその頂点にギザギザを付けた上蓋と指保護カバーは段差が付かないようギザギザ部分も面一にする。
【００１６】
ペーパーを上手く簡単にカットするために上蓋を長くし長くした部分を裏側に折り曲げて貼り付けるが、裏側先端部近くに小さく凸型を付けその先端にはペーパーを切り易くギザギザを付ける。
【００１７】
ペーパーを上手くカットするために上蓋の裏側先端部分にノコギリ
刃の付いた一枚の鉄板を折り曲げ、なおノコギリ刃と別に凸を付け
その一方はなだらかにした又楕円形のリング状の操作窓を開けた
部分は切り取り上蓋の裏側に貼り付けた、凸の役割はトイレット
ペーパーを回す事によりノコギリ刃にトイレットペーパーが食い
込むことを防止するためである。
【００１８】
ペーパーを片手でも切り易くするためには、上蓋先端部分が、トイ
レットペーパーに密着していなければならない、そのために符号、図
１１を基点にしてテコの原理で図６、を持ち上げる事で先端部分が押
し付けられ又使用してトイレットペーパーが小さくなってもバネ、図
１６の力でカットする先端部分が常にロールに密着している事になる。
【００１９】
材質が木、合成樹脂等の厚みの有る上蓋には指で中のトイレットペーパーを回す事が出来るほどの楕円形の穴を開けペーパーを切断する先端部分は符号図２０、上蓋の厚みのため指が引っ掛かる事無く振りぬけるように薄くする。
【００２０】
楕円形の切り込み穴、及び一方が楕円形、一方が切り離しの切り込
み溝が付いた上蓋と、同じ切り込みが付いた、上蓋飾りのベース部分
である、ベースの上に付ける飾りは特定せず。
-
【発明の効果】
【００２１】
此の発明は障害者の不自由な方でも片手あればトイレットペーパー
を容易に切り取り出来る、まずその構造は簡単で指で中のトイレット
ペーパーを回す事が出来るほどの操作窓用切り込み溝を入れ、指が傷
付かないように指保護カバーを付ける、なお上蓋とペーパーを片手で
切るために上蓋の先端部分を符号図１１、のテコを応用して図１６、
のバネの力により、図６の接点を持ち上げ先端部分がトイレットペーパーを押しつける事で上蓋がブレないようになり片手で容易にペーパーを切る事が出来る。
【００２２】
その使用方法だが、上蓋にある保護カバーの上部に指をいれ中の
トイレットペーパーを手前に回す、上蓋の下に隠れていたペーパー
切り口が摘まんで引っ張れるほど出てくる必要な長さまで引っ張り
カットする、此れの繰り返しを必要なだけする、いたって簡単に誰
でも片手で出来る。
【００２３】
上蓋先端部分、ペーパーをカットする部分だが長めにして裏側に
折り曲げた上蓋だが、折り曲げる事により厚みが出来高級感が増し
そのうえ、鉄板の角で指を傷付つける事が少ない又裏側に折り曲げて小さく凸型を付けその先端にギザギザを付けペーパーを切り易くした。
【００２４】
先端にノコギリ刃の付いた一枚の鉄板を折り曲げて上蓋の裏側に
貼り付けた事もペーパーを切り易くするためだ。
【００２５】
ミシン目が付いていても切りにくい時は、切断面に正しくミシン目
が合っていない為だが、此の指保護カバーは中のトイレットペーパーを回すため、楕円形のリング状の穴を大きく開けている事により
ミシン目が何処に付いているか一目でわかり、そのため上蓋に隠れ
てしまった状態より格段に切断面に合わす事が容易である。
【００２６】
木、合成樹脂等の厚み有る上蓋も指で中のトイレットペーパーを回す事が出来るほどの楕円形リング状の穴を開けペーパーを切断する先端部分を薄くした符号図２０、により指で中のトイレットペーパーを容易に回す事が出来、上蓋の下に隠れているペーパー切り口を指一本で摘まめるほど簡単に出す事が出来る。
【００２７】
上蓋飾りに付いては、切り込み溝の部分を同じように付けた、上蓋の上にする上蓋飾りのベース部分であるベースの上に色々な花、キャラクターなど個人の好みで自由に華やかに美しく飾り、トイレ内部を明るく楽しくした。
【発明を実施するための最良の形態】
【００２８】
トイレットペーパーホルダー上蓋の根元付近から一方が楕円形、一方が切り離しの溝を開け、丸みを多用した楕円形リング状の指保護カバーを付ける指保護カバーの先端部は、上蓋の先端と段差がつかないよう面一にした又長くした上蓋を裏側に折り曲げて先端近くに小さく凸型にしてギザギザを付けた上蓋の裏側も段差が付かないよう面一にした。
【００２９】
ペーパーを切り易くするために長くした上蓋の先端部分を折り曲げて裏側先端部分に凸型のギザギザを付けた場合と又先端がノコギリ刃になった一枚の鉄板を折り曲げノコギリ刃と凸型の二つの山を作り一方をなだらかにしそのうえリング状のカバー部分は切り取った鉄板を上蓋裏側に貼り付けたどちらもペーパーを切り易くするためだ又凸型の役目はペーパーロールを回す事によりノコギリ刃にトイレットペーパーが食い込む事を防止するため。
【００３０】
上蓋のブレ押さえに符号図１６バネ、図６のバネと上蓋の接点図、符号図１１のテコ部分、を通して上蓋先端部分をペーパーロールに押し付ける事で上蓋がブレナイで片手でもペーパーを簡単に切る事が出来る。
【００３１】
ペーパーロールを交換する時、上蓋を上に上げると符号１２アーム
と符号６、符号１１の間の上蓋がアームと並列になり上蓋が開いた
状態を保ち容易にトイレットペーパーを交換できる。
【００３２】
高級感を出すため、トイレットペーパーホルダーの内部を隠すよう
した化粧カバー[図１２]。
【００３３】
厚みの有る材質で作られた上蓋も楕円形の穴を開け、その先端部分
を指が引っ掛からないよう薄くした符号２０。
【００３４】
上蓋飾りは楕円形のリング状指保護カバーの操作の邪魔にならないよう切り込み穴、切り込み溝を付け、ベースのうえには花、キャラクターなど個人の自由にトイレ内部を明るくする。
【００３５】
上蓋飾りを上蓋に安定さすために上蓋後ろ側と外枠の間の隙間に符号２２を差し込み、ホルダー下にあるペーパーをストックする袋と
接続し上蓋飾りの安定を図る。
【実施例】
【００３６】
以下、本案の実施の形態に付いて説明する。
ペーパーの切り口が、上蓋の下に隠れているとき、上蓋の根元部分から先端部分まで切り込み溝があけているその切り込み溝には指保護カバーが付いているので指が傷付く心配は無い、使用するには上蓋にある指保護カバー上部から、指で上蓋の下にあるトイレットペーパーを手前に回すことにより、上蓋切断面の下に隠れているペーパーの切り口が摘まんで引っ張る事が出来るほど出てくる、必要な長さまで引っ張ってペーパーをカットする、此の一連の動作を片手で必要と思うほど繰り返す。
【００３７】
上蓋の先端部分が常に中にあるトイレットペーパーに密着して片手
でペーパーを切り取っても、上蓋がブレないようにテコを応用して
バネの力で先端部分が常に密着しているようにした。
【００３８】
上蓋を長くし長くした部分を裏側に折込み貼り付けた折り込む事に
より鉄板系であれば切り口の角をなくしたため指が傷付きにくい
そして薄い鉄板であれ、折り込む事で厚みが出来、安価な鉄板でも
値打ち有る高級感が出る、又裏側先端部分近くに折り込んだ鉄板を
小さく凸型にしてその先にギザギザを入れ、ペーパーを切り易くし
た。
【００３９】
上蓋の裏側に、ノコギリ刃と凸型の二つの山形を付けた鉄板を
貼り付けた、此れも片手でペーパーを切り易くしたものだ。
【００４０】
上蓋に大きく楕円形のリング状の穴が開いている事によりミシン
目が良くわかり容易に切断面に合わす事が可能になりペーパー
途中から破れ裂ける事が少なくなる。
【００４１】
トイレットペーパーを交換する時、上蓋を持ち上げるとアームとジョ
イントからバネ接点までが縦に並行となり上蓋が開いた状態で停止
し容易にペーパーロールを取り替える事が出来る。
【００４２】
厚みの有る材質を使ったトイレットペーパーホルダー上蓋に楕円形
の穴を開け先端部分、切断面であるが薄くし指が引っ掛からないよう
にした。
【００４３】
此の発明は、今出願しているカバー付き上蓋が世に出ない限り不
用な物ですが、世に出て家庭のトイレ等で使用して頂ければトイレ
内部を明るく華やかに楽しくする指保護カバー付き上蓋の上にする
上蓋飾り。
【００４４】
指保護カバー付き上蓋の上に有る上蓋飾りを安定さすために上蓋と
後ろ外枠の隙間を通り符合２２、がホルダー下にあるペーパーをスト
ックする袋に接続する事により上蓋飾りの安定を図る。
【産業上の利用可能性】
【００４５】
障害が有り片手でしか用を足せない方にとって指一本でペーパーが摘まれるほどペーパーがのぞき、のぞいたペーパーを片手で摘み、ペーパーが切れる事はとても助かる事です。
【００４６】
上蓋の上の飾りは、何処の家庭に置いてもトイレは明るく綺麗に華やかにしたいと思う方が多くいらっしゃると思う、今出願中の上蓋が普及される事により上蓋飾りのベースが必要となる。
【図面の簡単な説明】
【００４７】
【図１】本発明のトイレットペーパーホルダー上蓋の、一方を楕円形一方が切り離しの、指保護カバーを取り付けた事を示した平面図である。
【図２】本発明の一方が楕円形、一方が切り離しになった、指保護カバー          と先端部分及びペーパー切断面を示した側面図である。
【図３】本発明の一方が楕円形、一方が切り離しにした上蓋を示した平面          図である。
【図４】本発明の、ペーパーホルダー上蓋にある一方が楕円形、一方が切          り離しになった指保護カバーを示した平面図である。
【図５】本発明の、上蓋を長くし、ギザギザを付け折り込む事を示した          平面図である。
【図６】本発明の、上蓋、穴の部分を長くしギザギザを付け穴の部分から折り込む事を示した平面図である。
【図７】上蓋の長くした先端部分を折り込まれた事を示した側面図である。
【図８】上蓋の穴の部分から折り込まれた上蓋先端部分を示した側面図          である。
【図９】本発明のノコギリ刃を付けた上蓋の裏側を示した、平面図である。
【図１０】本発明の上蓋にノコギリ刃を付けた状態を示した、側面図である。
【図１１】本発明のトイレットペーハーホルダー全体を示した、側面図で          ある。
【図１２】本発明のトイレットペーパーホルダーの内部を隠すための化粧          カバーを示した斜視図である。
【図１３】本発明のトイレットペーパーが少なくなっている事を示した全体の、側面図である。
【図１４】本発明のトイレットペーパーを交換する時の上蓋を上げた時を示した、側面図である。
【図１５】厚い物で作ったトイレットペーパーホルダー上蓋を示した、斜視図である。
【図１６】上蓋飾りのベース部分が切り離し溝付き、斜視図である。
【符号の説明】
【００４８】
１、湾曲した上蓋。
２、指保護カバー。
３、トイレットペーパーホルダーの外枠。
４、指保護カバーの溝。
５、切り込みした穴。                  
６、後ろ両脇にある上蓋とバネの接点。
７、トイレットペーパーの芯。
８、指保護カバーの楕円形の部分でなく切り離し部分を示す。
９、トイレットペーパーを切り易くする為のギザギザ部分を示す。
１０、裏側に折り込む為の折込み線。
１１、ホルダー外枠と上蓋をアームでつなげるためのジョイントを示す。
１２、外枠と上蓋をつなぐアーム。
１３、トイレットペーパーホルダーを取り付ける外壁。
１４、凸型の一方をなだらかにした鉄板。
１５、ノコギリ刃。
１６、バネ。
１７、トイレットペーパー。
１８、ミシン目。
１９、トイレットペーパーホルダーの内部を隠すための化粧カバー。
２０、厚み有る上蓋に、楕円形の穴を開け先端部分を薄くした。
２１、穴あき上蓋の上にする上蓋飾りのベース。
２２、上蓋と壁側ホルダー外枠との隙間に差し込みストックする袋に
接続する事で上蓋の上に安定さす。
【図１】
2009153742.tif 000003
【図２】
2009153742.tif 000004
【図３】
2009153742.tif 000005
【図４】
2009153742.tif 000006
【図５】
2009153742.tif 000007
【図６】
2009153742.tif 000008
【図７】
2009153742.tif 000009
【図８】
2009153742.tif 000010
【図９】
2009153742.tif 000011
【図１０】
2009153742.tif 000012
【図１１】
2009153742.tif 000013
【図１２】
2009153742.tif 000014
【図１３】
2009153742.tif 000015
【図１４】
2009153742.tif 000016
【図１５】
2009153742.tif 000017
【図１６】
2009153742.tif 000018